(57)【特許請求の範囲】
【請求項１】
電磁鋼板を積層したコアブロックを複数個組み合せて構成する分割形ステータコアにおいて、
前記コアブロックは、隣に位置するコアブロックの外周面側に突出する櫛状部分を有することを特徴とする分割形ステータコア。
【請求項２】
請求項１記載の分割形ステータコアにおいて、
上記電磁鋼板は、隣に位置するコアブロックに積層された電磁鋼板に接する面に突出折曲片、又は切欠部を有することを特徴とする分割形ステータコア。
【請求項３】
請求項２記載の分割形ステータコアにおいて、
上記電磁鋼板は、上層又は下層の電磁鋼板の突出折曲片を折曲げた折曲部が接する溝部を有することを特徴とする分割形ステータコア。
【発明の詳細な説明】
【０００１】
【発明の属する技術分野】
本発明は分割形ステータコアを提供する技術に関する。
【０００２】
【従来の技術】
従来、分割形ステータコアを製造する方法としては、電磁鋼板をプレスで打抜く際、型内積層あるいはレーザ溶接等で数枚固着してコアブロック１´を作成し、このコアブロック１´を複数個円筒状に配置し、図５に示すように互いの合せ部分６´を溶接して固着しステータコアを形成する方法がよく知られている。溶接以外の方法として、円筒状に配置したコアブロックの外周に円筒を圧入又は焼きばめすることでもコアブロックを固着しステータコアを形成することも知られている。また、嵌入した分割積層コアを通しボルトで組上げることも提案されている（特開平７−２２２３８３号公報）。
【０００３】
しかし、前記溶接によるコアブロックの固着方法では、積層された電磁鋼板どうしが互いに電気的に導通の状態となるため、電磁鋼板を重ねただけのものと比較すると電気的特性が劣るといった欠点がある。また、コア外周に円筒を圧入又は焼きばめしたり、通しボルトを使用する方法では、新たに部品が必要となりコストアップになるといった問題がある。
【０００４】
【発明が解決しようとする課題】
本発明の目的は、従来技術の問題を解決するものであり、溶接等を使用しないので電気的特性を下げることはなく、そして、新たな部品を用いないため製造コストの上昇を抑えることができるモータ等の分割形ステータコアを提供することにある。
【０００５】
【課題を解決するための手段】
本発明は、電磁鋼板を積層したコアブロックを複数個組み合せて構成する分割形ステータコアにおいて、前記コアブロックは、隣に位置するコアブロックの外側に突出して塑性変形された櫛状部分を有する分割形ステータコアである。
【０００６】
また、本発明は、上記電磁鋼板は、隣に位置するコアブロックの電磁鋼板に接する面に突出折曲片又は切欠部を有する分割形ステータコアである。
【０００７】
そして、本発明は、上記電磁鋼板は、上層又は下層の電磁鋼板の突出折曲片を折曲げて挿入する溝部を有する分割形ステータコアである。
【０００８】
【発明の実施の形態】
本発明の発明の実施の形態を説明する。
本発明の分割形ステータコアの実施例について、図１〜図４を用いて説明する。図１は、実施例の分割形ステータコアの斜視説明図である。図２は、実施例の分割形ステータコアを構成するコアブロックの一例の説明図である。図３は、実施例におけるコアブロックに使用される電磁鋼板の一例の説明図である。図４は、実施例におけるコアブロックの組立状態の部分説明図である。
【０００９】
本発明の分割形ステータコアの一実施例を説明する。本実施例の分割形ステータコアは、図１に示すように、コアブロック１を１２個組合せて構成したものである。各コアブロック１は、図２に示すように、電磁鋼板２の積層体からなり、櫛状部３を有している。櫛状部３は、電磁鋼板２の突出折曲片であり、組合せ時に隣に位置するコアブロック１の外周面側に突出して塑性変形される。
【００１０】
コアブロック１を形成する電磁鋼板２の一例について、図３を用いて説明する。コアブロック１は、電磁鋼板Ａ及びＢを交互に積層して形成される。電磁鋼板Ａ２ａは、図３（ａ）に示すように、コアブロック積層時に隣に位置するコアブロックを形成する電磁鋼板に接する面の一方に突出折曲片３ａ及び溝部４ａを設け、他方には切欠部５ａを設けている。突出折曲片３ａは、突出部３１ａ及び折曲部３２ａとからなり、コアブロック１に積層すると櫛状部１１となる。折曲部３１ａの形状を切欠部５ａの形状に対応するように形成すると、隣合う電磁鋼板における突出部３１ａと切欠部５ａとの接触部分に隙間が生じないようにすることができる。折曲部３２ａは、分割形ステータコアに組合せた後、折曲げられる。溝部４ａは、上層又は下層に積層される電磁鋼板２の折曲部３２が折曲げられて挿入される。突出折曲片３ａ、溝部４ａ及び切欠部５ａは、電磁鋼板２を電磁鋼板帯体から打抜く工程で形成される。電磁鋼板Ｂ２ｂは、図３（ｂ）に示すように、電磁鋼板Ａ２ａと左右対称の位置にそれぞれ突出折曲片３ｂ、溝部４ｂ及び切欠部５ｂを設けている。電磁鋼板Ｂ２ｂの突出折曲片３ｂも、同様に突出部３１ｂ及び折曲部３２ｂとからなる。電磁鋼板Ａ２ａとＢ２ｂとを交互に積層してコアブロック１に形成すると、突出折曲片３ａ、３ｂ及び切欠部５ａ、５ｂにより、櫛状部１１を有するコアブロック１を形成することが出来る。
【００１１】
隣合うコアブロックの櫛状部同士の噛合せについて、図４を用いて説明する。櫛状部１１同士を噛合せると、突出折曲片３の突出部３１と切欠部５との隙間が生じないため、隣合うコアブロック１の接する面を密着させることができる。そして、隣接するコアブロック１の外周面側に飛び出した突出折曲片３の折曲部３２を、例えばロール成形で同一方向に塑性変形させて折曲げる。折曲部３２は、折曲されると、下層に積層された電磁鋼板２ｃの溝部４ｃに挿入される。溝部４は、上層に積層された電磁鋼板（図示していない。）の折曲された折曲部３２ｄが挿入される。溝部４ｃ、４に挿入されるため、折曲部３２、３２ｄは、分割形ステータコアの外周面から飛び出す部分はない。折曲部３２の折曲方向としては、下層又は上層側とすることができる。
【００１２】
コアブロック１の形状は、ドーナツ形状のステータコアを構成した時の中心からの放射線状に分割された扇形をしているため、組合せた状態のコアブロック１は内径方向に相対的に移動することは無く、また、折曲部３２は、互いに隣合ったコアブロック１を構成する電磁鋼板２の外周面側に形成された溝部４に挿入されて密着するため、コアブロック１が外周方向に相対的に膨らむことが無い。そして、櫛状部１１によりスラスト方向にずれることはなく、溝部４に挿入された折曲部３２により円周方向に離れることはない。
【００１３】
積層されたコアブロックを、本実施例では１２個のコアブロックを同様に組合せることにより、図１に示すような円筒状の分割形ステータコアを形成することが出来る。
また、本実施例によれば、溶接等を使用しないで、そして、新たな部品を用いないで、モータ等の分割形ステータコアを提供することができる。
【００１４】
【発明の効果】
本発明によれば、製造コストの低減を図って、モータ等の分割形ステータコアを提供することができる。
【図面の簡単な説明】
【図１】実施例の分割形ステータコアの斜視説明図。
【図２】実施例の分割形ステータコアを構成するコアブロックの一例の説明図。
【図３】実施例におけるコアブロックに使用される電磁鋼板の一例の説明図。
【図４】実施例におけるコアブロックの組立状態の部分説明図。
【図５】従来技術による溶接構造のステータコアの部分説明図。
【符号の説明】
１  コアブロック、
２、２ａ、２ｂ、２ｃ  電磁鋼板
３、３ａ、３ｂ  突出折曲片
３１、３１ａ、３１ｂ  突出部
３２、３２ａ、３２ｂ  折曲部
４、４ａ、４ｂ  溝部
５、５ａ、５ｂ  切欠部
【図１】
0003604946.tif 000002
【図２】
0003604946.tif 000003
【図３】
0003604946.tif 000004
【図４】
0003604946.tif 000005
【図５】
0003604946.tif 000006